(57)【要約】発光材料の層を有する低水銀消費ランプであって、冷白色のハロリン酸カルシウム、赤色発光の酸化イットリウム（ＹＯＸ）、緑色発光のリン酸ランタンテルビウムセリウム（ＬＡＰ）、及び青色発光ユーロピウムで活性化されたヘキサアルミン酸マグネシウムバリウム（ＢＡＭ）との混合物から得られた蛍光体を有する低水銀消費ランプを提供する。
2007520042.tif 000002
【特許請求の範囲】
【請求項１】
電気ランプであり：
内面を有するランプエンベロープ；
該ランプエンベロープ内に設けられ、紫外線を発生する手段；及び
前記内面上の発光材料の層；
を有し、
前記発光材料は、
冷白色のハロリン酸カルシウムと、
赤色発光の酸化イットリウム（ＹＯＸ）と、
緑色発光のリン酸ランタンテルビウム、セリウム（ＬＡＰ）と、
青色発光のユーロピウムで活性化されたヘキサアルミン酸マグネシウムバリウム（ＢＡＭ）と、
の混合物から得られる蛍光体を有する、
ところの電気ランプ。
【請求項２】
ヘキサアルミン酸マグネシウムテルビウム、セリウム（ＣＡＴ）構成部材、又は五ホウ酸ガドリニウム、テルビウム、セリウム（ＣＢＴ）構成部材が、前記の緑色発光の（ＬＡＰ）構成部材の代りになる、
請求項１記載の電気ランプ。
【請求項３】
二価ユーロピウムで活性化されたリン酸バリウム、カルシウム、クロロストロンチウム、（ＳＣＡ）構成部材、又は二価ユーロピウムで活性化されたクロロリン酸ストロンチウム（アパタイト）（ＳＣＡＰ）構成部材が、前記のＢＡＭ構成部材の代りになる、
請求項１記載の電気ランプ。
【請求項４】
前記蛍光体は、
約８５ｗｔ％〜約９６ｗｔ％の冷白色のハロリン酸カルシウムと、
約１．６ｗｔ％〜約５．８ｗｔ％の赤色発光の酸化イットリウム（ＹＯＸ）と、
約１．７ｗｔ％〜約６．５ｗｔ％の緑色発光のリン酸ランタンテルビウム、セリウム（ＬＡＰ）と、
約０．７ｗｔ％〜約２．７ｗｔ％の青色発光のユーロピウムで活性化されたヘキサアルミン酸マグネシウムバリウム（ＢＡＭ）と、
を有する、
請求項１記載の電気ランプ。
【請求項５】
低圧低水銀消費水銀蒸気蛍光ランプであり：
ａ．管状の光透過性ランプエンベロープであって、互いに対向する封止端部及び管内面を有し、前記封止端部間の或る容積の放電空間を包囲している当該ランプエンベロープ；
ｂ．元素水銀及び希ガスの充填剤；
ｃ．前記ランプエンベロープの各封止端部でそれぞれ配置される一対の放電電極；
ｄ．前記放電電極を前記ランプエンベロープの外部にある電位源に接続する接続手段であって、それによりランプ点灯中にガス放電が前記放電電極間で維持され、このガス放電は紫外線放射を放出する、ところの接続手段；
ｅ．随意であるが、前記ランプエンベロープの前記内面に隣接して配置され、第１の、光透過性だが紫外線放射を反射する層；及び
ｆ．発光材料の層；
を有し、
前記発光材料は、
冷白色のハロリン酸カルシウムと、
赤色発光の酸化イットリウム（ＹＯＸ）と、
緑色発光のリン酸ランタンテルビウム、セリウム（ＬＡＰ）と、
青色発光のユーロピウムで活性化されたヘキサアルミン酸マグネシウムバリウム（ＢＡＭ）と、
から得られる蛍光体を有する、
ところの低圧低水銀消費水銀蒸気蛍光ランプ。
【請求項６】
前記蛍光体は、
約８５ｗｔ％〜約９６ｗｔ％の冷白色のハロリン酸カルシウムと、
約１．６ｗｔ％〜約５．８ｗｔ％の赤色発光の酸化イットリウム（ＹＯＸ）と、
約１．７ｗｔ％〜約６．５ｗｔ％の緑色発光のリン酸ランタンテルビウム、セリウム（ＬＡＰ）と、
約０．７ｗｔ％〜約２．７ｗｔ％の青色発光のユーロピウムで活性化されたヘキサアルミン酸マグネシウムバリウム（ＢＡＭ）と、
を有する、
請求項５記載の低圧低水銀消費水銀蒸気蛍光ランプ。
【請求項７】
酸化スズの導電半導体層が、内面とプレコート層との間に始動補助として適用される、
請求項６記載の低圧低水銀消費水銀蒸気蛍光ランプ。
【請求項８】
低圧低水銀消費水銀蒸気蛍光ランプであり：
ａ．管状の光透過性ランプエンベロープであって、互いに対向する封止端部、及び管内面を有し、前記封止端部間の或る容積の放電空間を包囲している当該ランプエンベロープ；
ｂ．元素水銀及び希ガスの充填剤；
ｃ．前記ランプエンベロープの各封止端部でそれぞれ配置される一対の放電電極；
ｄ．前記放電電極を前記ランプエンベロープの外部にある電位源に接続する接続手段であって、それによりランプ点灯中にガス放電が前記放電電極間で維持され、このガス放電は紫外線放射を放出する、ところの接続手段；
ｅ．随意であるが、前記ランプエンベロープの前記内面に隣接して配置され、第１の、光透過性であるが紫外線放射を反射するプレコート層；
ｆ．随意であるが、前記内面と前記プレコート層との間に始動補助として適用される酸化スズの導電半導体層；及び
ｇ．発光材料の層；
を有し、
前記発光材料は、
約８５ｗｔ％〜約９６ｗｔ％の冷白色のハロリン酸カルシウムと、
約１．６ｗｔ％〜約５．８ｗｔ％の赤色発光の酸化イットリウム（ＹＯＸ）と、
約１．７ｗｔ％〜約６．５ｗｔ％の緑色発光のリン酸ランタンテルビウム、セリウム（ＬＡＰ）と、
約０．７ｗｔ％〜約２．７ｗｔ％の青色発光のユーロピウムで活性化されたヘキサアルミン酸マグネシウムバリウム（ＢＡＭ）と、
を有する、ところの低圧低水銀消費水銀蒸気蛍光ランプ。
【請求項９】
前記エンベロープは前記エンベロープの群から曲げられ且つ選択され、
前記エンベロープは、
Ｕ字状湾曲部によって連結される少なくとも２つの脚部と、
所望の形状に屈曲されるエンベロープ群と、
を有する、
請求項８記載の低圧低水銀消費水銀蒸気蛍光ランプ。
【請求項１０】
冷白色のハロリン酸カルシウムと、
赤色発光の酸化イットリウム（ＹＯＸ）と、
緑色発光のリン酸ランタンテルビウム、セリウム（ＬＡＰ）と、
青色発光のユーロピウムで活性化されたヘキサアルミン酸マグネシウムバリウム（ＢＡＭ）と、
の混合物を有する、
低水銀消費蛍光ランプ用の蛍光体混合物。
【請求項１１】
前記蛍光体は、
約８５ｗｔ％〜約９６ｗｔ％の冷白色のハロリン酸カルシウムと、
約１．６ｗｔ％〜約５．８ｗｔ％の赤色発光の酸化イットリウム（ＹＯＸ）と、
約１．７ｗｔ％〜約６．５ｗｔ％の緑色発光のリン酸ランタンテルビウム、セリウム（ＬＡＰ）と、
約０．７ｗｔ％〜約２．７ｗｔ％の青色発光のユーロピウムで活性化されたヘキサアルミン酸マグネシウムバリウム（ＢＡＭ）と、
の混合物を有する、
請求項１０記載の蛍光体混合物。
【請求項１２】
ヘキサアルミン酸マグネシウムテルビウム、セリウム（ＣＡＴ）構成部材、又は五ホウ酸ガドリニウム、テルビウム、セリウム（ＣＢＴ）構成部材が、前記緑色発光の（ＬＡＰ）構成部材の代りになる、
請求項１１記載の蛍光体混合物。
【請求項１３】
二価ユーロピウムで活性化されたリン酸バリウム、カルシウム、クロロストロンチウム（ＳＣＡ）構成部材、又は二価ユーロピウムで活性化されたクロロリン酸ストロンチウム（アパタイト）（ＳＣＡＰ）構成部材が、前記のＢＡＭ構成部材の代りになる、
請求項１１記載の蛍光体混合物。
【発明の詳細な説明】
【技術分野】
【０００１】
本発明は、低圧水銀蒸気蛍光ランプに関するものである。
【０００２】
本願は、２００２年９月２７日に出願された本願人に係る米国特許出願第１０／２５９、７１３号明細書（特許文献1）（発明者Gary  Sigai他）に開示された「低圧水銀蒸気蛍光ランプ」に関連するものである。この米国特許出願を、参照により本明細書中に導入する。
【背景技術】
【０００３】
低圧水銀蒸気ランプ、より一般的には蛍光ランプとして知られるランプは、点灯中にガス放電を維持するための水銀及び希ガスから成る充填剤が入れられたランプエンベロープを有する。ガス放電により放出される放射としては、紫外線（ＵＶ）領域のスペクトルのものが殆どであり、可視スペクトルの部分は僅かしかない。ランプエンベロープの内面は、紫外線放射が衝突すると可視光を放出する（多くの場合、蛍光体の混合物の）発光被膜を有する。
【０００４】
蛍光ランプは、電力消費が少ないため使用されることが多くなっている。更に電力消費を低減させるために、蛍光ランプの効率を増大させることが求められている。蛍光ランプの効率は、発光効率（ルーメン／ワット（ＬＰＷ））と称され、ランプへのエネルギー入力に対する有効な光出力の目安となる。
【０００５】
すなわち、より効率が高く且つ寿命の長い蛍光ランプが所望されている。しかしながら、２０，０００時間以上の所望の長いランプ寿命を満足させるには、ランプに導入される水銀が著しく多量になる。このように多量の水銀が必要になるのは、ガラスエンベロープや蛍光体被膜や電極のようなランプの種々の構成部材が、ランプ中の水銀を消耗するためである。このように水銀の使用量が増大することは望ましくなく、環境に有害である。蛍光ランプの寿命を短くすることなくその水銀消費量を低減させることが求められている。
【０００６】
水銀消費量を低減させるのに成功したランプの例が、Ａｌｔｏなる登録商標の冷白色エコノワット（Ｅｃｏｎｏｗａｔｔ）（商品名）蛍光ランプである。これらのランプは、平均粒子寸法が約８〜１２ミクロンの小粒子の冷白色のハロリン酸カルシウム蛍光体を使用しており、添加されている水銀の量は、他のランプより少なく、無害廃棄物に関する米国環境保護庁の毒性溶出試験法（Toxic  Characteristics  Leaching  Procedure）（ＴＣＬＰ）の条件を満たしている。従前通りこれらのランプの定格寿命を満たすためには、ランプ及びその構成部材による水銀消費量を少なくすることが重要である。
【０００７】
同様に、デイライト（昼白色）及びデイライトデラックスカラーの蛍光ランプでは、２成分の蛍光体混合物のうちの一方の成分として大粒子のブルーハロのハロリン酸カルシウム蛍光体を使用し、他方の成分として標準的な白色又は温白色の蛍光体を使用している。これらのランプに添加されている水銀は少量であり、無害廃棄物に関するＴＣＬＰの条件を満たしている。上記参照された特許文献１において、水銀消費が低減された冷白色を有する蛍光ランプが開示されているが、この蛍光ランプは、カルシウムイエローのハロリン酸カルシウム蛍光体を、蛍光体混合物内に用いる。蛍光体混合物の約４１％は、カルシウムイエローのハロリン酸カルシウム蛍光体から構成される。このような蛍光体混合物は、ＴＣＬＰ基準に合格する低減された水銀含有量、優れた長寿命特性、等を有するランプとなる。しかしながら、ランプを生成する蛍光体混合物は、構成部材としてのカルシウムイエローのハロリン酸の存在に依存し、カルシウムイエローのハロリン酸は、一般に市販されているものではなく、手に入りにくい。したがって、ＴＣＬＰ規格に合格する、水銀の量が低減された蛍光ランプで、且つ市販され直ぐに手に入る構成部材から得ることが可能な蛍光ランプが、引き続き必要とされている。
【特許文献１】米国特許出願第１０／２５９、７１３号明細書
【発明の開示】
【発明が解決しようとする課題】
【０００８】
本発明は、水銀消費量が低減された明白色（lite  white）の蛍光ランプを提供することを目的とする（用語「明白色」は、高いルーメン出力を有する省エネ型の蛍光ランプからの光の色を指し、典型的には冷白色の蛍光ランプからの出力より高い）。
【０００９】
本発明の別の目的は、このような明白色で水銀消費量が低減された蛍光ランプを製造するのに有用な蛍光体混合物を提供することである。
【００１０】
本発明の更に別の目的は、代替の且つ改良された蛍光体混合物（カルシウムイエローのハロリン酸から得られたこのような混合物と比較して）を提供し、許容可能なコストで改良された性能を有するランプを提供し、且つＴＣＬＰ基準に合格する低減された水銀を有する蛍光ランプもまた提供し、全てのこのような蛍光体混合物及びこのような蛍光体混合物から得られたランプは、直ぐに手に入る市販の構成部材から得られる。
【課題を解決するための手段】
【００１１】
本発明のこれらの及び他の目的は、内面を有するエンベロープと、このエンベロープ管の両端に配置された電極とするのが好ましい少なくとも１つの電極とを有する電気ランプを提供することにより達成される。本発明によるランプは、例えば、T12型直管エコノワットランプのような、図１の本発明の実施例に示すような種類の真直ぐな蛍光管にすることもできるし、図２に線図的に示す本発明の実施例のようなＵ字状湾曲部により連結された少なくとも２つの真直ぐな脚部を有するエンベロープのように、所望の形状に屈曲させたエンベロープを有するランプ、即ちＰＬランプや、丸型ランプや、ＳＬＳランプ等のようなランプにすることもできる。いずれの実施例においても、電極により電力が伝達され、紫外線放射を水銀及び電荷維持ガスが充填されたランプエンベロープ内に発生させる。随意的ではあるが、真直ぐなエンベロープの蛍光ランプの場合には、紫外線放射を反射させてエンベロープ内に戻すために、エンベロープ内面に酸化アルミニウム層のような金属酸化物の層をプレコートすることができる。屈曲したエンベロープを有するランプの場合には、通常このようなプレコートを使用しないが、以下に説明するようにＳＬＳランプの場合には可撓性のプレコートを使用することもできる。このことも随意的ではあるが、エンベロープとプレコート層との間に、始動補助として、酸化スズの半導体プレコートを適用することができる。
【００１２】
プレコートを行ったか否かに拘わらず、内面上に蛍光体層を形成して紫外線放射が可視光に変換されるようにする。従来のランプにおいて、通常のF34T12型の直管エコノワット蛍光ランプに用いる蛍光体層は、好ましくは小粒子寸法の冷白色のハロリン酸カルシウム蛍光体であり、マンガン及びアンチモンにより活性化されたハロリン酸カルシウムを有する被膜から形成されている。同様に、冷白色の通常のＵ字状蛍光ランプに用いる蛍光体層は、小粒子寸法の２種の蛍光体の混合物であって、アンチモン及びマンガンにより活性化された大粒子の冷白色のハロリン酸カルシウム約５０％と、マンガン及びアンチモンにより活性化された微粒子（寸法の異なる粒子の混合物中の平均より小さい粒子）の冷白色のハロリン酸カルシウム約５０％との混合物を含むものとする。微粒子は、特に、屈曲領域において、一般にガラス層又はガラス層上の被膜と、蛍光体層との間の良好な接着を達成するために用いられる。
【００１３】
従来の大粒子寸法の蛍光体混合物により得られる発光色は、微粒子の温白色のハロリン酸カルシウム蛍光体と、小粒子寸法のブルーハロのハロリン酸カルシウム蛍光体と、カルシウムイエローのハロリン酸カルシウム蛍光体との混合物から得られる蛍光体により達成しうることを以前に確かめた。さらに、この蛍光体混合物を使用することにより、Ｕ字状に湾曲された屈曲ランプを製造する際の蛍光体の接着性を良好にすると共に、蛍光ランプに使用する水銀添加量を少なくして環境に害のないようにすることができる。このような蛍光体は、上記に参照した本出願人の先願である、特許文献１の主題を形成する。
【００１４】
本発明によれば、冷白色のハロリン酸と、赤色発光ＹＯＸと、緑色発光ＬＡＰと、青色発光ＢＡＭとの混合物を有する蛍光体を有する新規の明白色の蛍光ランプを提供する。
【００１５】
蛍光体混合物の構成部材は、当該技術分野で周知の構成部材から選択することができる。
【００１６】
冷白色のハロリン酸構成部材は、たとえば、フルオロクロロリン酸カルシウム（アパタイト）が、アンチモン及びマンガンとともに、約４１００Ｋの名目上のカラーポイントの放出で添加されてもよく、一般式Ｃａ５（ＰＯ４）３ＦＣｌ：Ｓｂ，Ｍｎを有する。赤色発光ＹＯＸ構成部材は、たとえばユーロピウムで活性化された三価の酸化イットリウムであり、一般式Ｙ２Ｏ３：Ｅｕを有する。緑色発光ＬＡＰ構成部材は、たとえばリン酸ランタンテルビウム、セリウムであってもよく、一般式ＬａＰＯ４：Ｃｅ，Ｔｂを有する。青色発光ＢＡＭ構成部材は、たとえば二価ユーロピウムで活性化されたヘキサアルミン酸マグネシウムバリウムであってもよく、一般式ＢａＭｇＡｌ１１Ｏ１７：Ｅｕを有する。
【００１７】
本発明の範囲内の他の蛍光体混合物において、ＣＡＴ構成部材、たとえば、一般式：（Ｃｅ，Ｔｂ）ＭｇＡｌ１１Ｏ１９を有するヘキサアルミン酸マグネシウムテルビウム、セリウム、又はＣＢＴ構成部材、たとえば一般式（Ｃｅ，Ｇｄ）ＭｇＢ５Ｏ１０Ｔｂを有する五ホウ酸ガドリニウム、テルビウム、セリウムが、緑色発光ＬＡＰ構成部材の代りになってもよい。ＳＣＡ構成部材もまた、たとえば一般式：（Ｓｒ，Ｃａ，Ｂａ）５（ＰＯ４）３Ｃｌ：Ｅｕを有する二価ユーロピウムで活性化されたリン酸バリウム、カルシウム、クロロストロンチウム、又はＳＣＡＰ構成部材、たとえば一般式：Ｓｒ５（ＰＯ４）３Ｃｌ：Ｅｕを有する二価ユーロピウムで活性化されたクロロリン酸ストロンチウム（アパタイト）が、上述したＢＡＭ構成部材の代りになってもよい。
【００１８】
例示的な明白色蛍光体混合物が提供され、明白色蛍光体混合物は：
（１）約８５％〜約９６％、好ましくは約９４％の冷白色のハロリン酸蛍光体構成部材と；
（２）約１．６％〜約５．８％、好ましくは約２．３％の赤色発光ＹＯＸ構成部材と；
（３）約１．７％〜約６．５％、好ましくは約２．６％の緑色発光ＬＡＰ構成部材と；
（４）約０．７％〜約２．７％、好ましくは約1．１％の青色発光ＢＡＭ構成部材と、
を有することができる。ここで百分率は、重さ（weight）による百分率であり、且つ構成部材のトータルの百分率は、１００％に等しい。
【００１９】
このような蛍光体混合物を使用することにより、低水銀消費のランプが得られる。このようなランプは、フィリップス社の低水銀のＡｌｔｏランプに匹敵するものであり、より多くの水銀が必要になる他の蛍光体を用いて製造された（フィリップス社のＡｌｔｏランプを除く）市販のランプと比べて、使用される水銀の量が少なくなる。加えて、本発明の新規の蛍光体混合物から得られるランプは、（明白色のカラーポイントで）通常の冷白色及び明白色ランプよりも高い演色評価数（ＣＲＩ）を呈する。たとえば、単一の構成部材の冷白色蛍光体から得られたランプは、６２のＣＲＩを呈した。カルシウムイエロー及びＢＡＭを有する明白色配合物から得られたランプは、５１のＣＲＩを呈した。本発明の新規の明白色蛍光体混合物から得られたランプは、６４のＣＲＩを有した。更に、本発明のランプは、低減されたランプの粉末の量（powder  weight）を用いて生成されてもよく、カルシウムイエロー及びＢＡＭを有する明白色配合物から得られるランプと比べて、高いルーメン出力となる。
【００２０】
水銀消費量は、ランプの点灯中にランプの構成部材に結合してしまい、もはやランプを点灯させるのに利用し得なくなった水銀の量により規定される。本発明によれば、蛍光ランプ、好ましくは冷白色のＵ字状蛍光ランプに添加する水銀量を低減させることができ、このようなランプを、環境的に無害でＴＣＬＰの条件に従ったものとすることができる。
【００２１】
また、本発明のこのような蛍光体から得られたランプは、ランプ寿命が極めて長いという特徴を有する。
【００２２】
従って、本発明の好ましい実施形態には、
内面を有するランプエンベロープ；
ランプエンベロープ内に設けられ、紫外線を発生させる手段；
蛍光体を含む発光材料の層；
を含むランプであって、発光材料は、
冷白色のハロリン酸と、
赤色発光ＹＯＸと、
緑色発光ＬＡＰと、
青色発光ＢＡＭと、
の混合物からなる蛍光物を有する電気ランプが含まれる。
【００２３】
図面は線図的なものであり、実際のものに正比例して描いていない。
【００２４】
本発明は、以下の具体的な実施例の詳細な説明を参照することでより良く理解されるだろう。
【発明を実施するための最良の形態】
【００２５】
図１を参照すると、細長状の真直ぐなランプ容器、即ち管３を有する低圧水銀蒸気蛍光ランプ１が示されている。管３は、通常のソーダ石灰ガラスから形成されている。このランプは、両端に電極装着構造体５を有しており、これらの電極装着構造体５は、導電性のフィードスルー７及び９で支持されたコイル状のタングステンフィラメント６を含む。これらフィードスルー（リード線）７及び９は、装着ステム１０のガラスプレス封止部１１を貫通している。この装着ステム１０は、通常の鉛含有ガラスから形成されている。この装着ステム１０は、エンベロープを気密に封止している。リード線７及び９は、ランプの対向する両端部に固着されたそれぞれの口金１２にあるピン状接点１３に接続されている。
【００２６】
更に、且つ随意に、半導体プレコート層を、内面１５とプレコート１６との間に用いることができる。このこともまた随意に、外側エンベロープ３の内面１５に、水銀防護層、即ちアンダーコート層１６を設ける。この層、すなわち被膜１６を設けることで、水銀がエンベロープ３のガラスと反応することにより消費される割合を低減させることができる。この層１６は、マグネシウム、アルミニウム、チタン、ジルコニウム及び希土類元素から成る群から選択した元素の酸化物とすることができる。本明細書中で使用する「希土類元素」の用語は、スカンジウム、イットリウム、ランタン及びランタニド元素を意味するものである。被膜１６とその上に設けるべき被膜との双方とも、管の内壁の全周に且つ管の全長に亘って延在させる。ステム１０にはいかなる被膜も設けない。オーバーコート層１６上には蛍光体被膜１７を配置する。
【００２７】
放電維持充填剤は、アルゴンのような不活性ガス、又はアルゴンと他のガスとの混合物をある量の水銀と一緒に低圧で含み、ランプ点灯中にアーク放電を維持させる。
【００２８】
特定の実施形態によれば、図１に示すランプはF34T12型のエコノワット（Ｅｃｏｎｏｗａｔｔ）（商品名）ランプである。
【００２９】
図２を参照するに、細長状のランプ容器、即ち管３Ａを有するＵ字状ランプユニット１Ａの線図的断面図が示されている。管３Ａは、脚部４及びＵ字状部分４Ａを有する。管は、通常のソーダ石灰ガラスから形成されている。ランプは、電極装着構造体５Ａを含み、この電極装着構造体５Ａは、エンベロープを気密に封止する通常の鉛含有ガラスからなる装着ステム１０Ａ内で終端している。ランプのリード線は、ランプの対向する両端部にそれぞれ固着された口金にあるピン状接点１３Ａに接続されている。
【００３０】
特定の実施形態によれば、図２に示す断面図は、T12TLU型の蛍光ランプのセグメントであるが、ＰＬ型、丸型、又はＳＬＳ型の蛍光ランプであってもよい。
【実施例】
【００３１】
F34T12型のエコノワットランプが、本発明により製造され、約４．４ｍｇの水銀並びに約９４ｗｔ％の冷白色のハロリン酸、約２．３ｗｔ％の赤色発光ＹＯＸ、約２．６ｗｔ％の緑色発光ＬＡＰ、及び約1．１ｗｔ％の青色発光ＢＡＭの混合物の蛍光体被膜が、採用された。
【００３２】
上記蛍光体混合物から得られたランプ内の結合した水銀の総量は、２５００時間の点灯時間後、１．２４ｍｇを超えないであろう。本発明者等の研究所における過去のデータに基づき、ランプは、２０，０００時間の定格寿命を満たすであろう。加えて、ランプは、ＴＣＬＰ試験に合格しており、無害であり埋め立てにより廃棄することができると考えられる。
【００３３】
上記考察は、本発明の例示に過ぎず、且つ添付の特許請求項を如何なる特定の実施形態又は実施形態群に限定すると解釈すべきではないことを意図していることが、理解されよう。このように、本発明が、本発明に特有の例示的な実施形態を参照して特に詳細に説明される一方、添付の請求項に記載の本発明のより広範囲で且つ意図された精神及び範囲から逸脱することなく、数々の変更形態及び変化が、成されてもよいこともまた理解されたい。明細書及び図面は、したがって、例示的な方法として考えられ、添付の請求項の範囲を限定することを意図するものではない。
【００３４】
添付の請求項の解釈において、以下の点を理解されたい。
（ａ）「有する」及び「含む」という用語は、所与の請求項に列挙されていない他の要素又は動作の存在を除外するものではない。
（ｂ）「１つの」要素、という用語は、複数のこのような要素の存在を除外するものではない。
（ｃ）請求項における如何なる参照記号をも、請求の範囲を限定するものではない。
（ｄ）幾つかの「手段」が、同じアイテム又はハードウェア又はソフトウェアが実装された構造又は機能によって、示されてもよい。
【図面の簡単な説明】
【００３５】
【図１】本発明の第１の実施例による蛍光ランプを、一部を断面にして、一部を取り出して示す斜視図である。
【図２】本発明の第２の実施例によるＵ字状蛍光ランプの断面図である。
【図１】
2007520042.tif 000003
【図２】
2007520042.tif 000004
【国際調査報告】
2007520042.tif 000005
2007520042.tif 000006
2007520042.tif 000007
2007520042.tif 000008
2007520042.tif 000009